(57)【特許請求の範囲】
【請求項１】
信号表示用の色が施された外側レンズ，該外側レンズの内側に設けられた内側レンズ，及び該内側レンズの更に内側に設けられ光源からの光を反射して内側レンズに照射する反射鏡の、それぞれの周縁を固定してフレーム枠に支持させる環状の信号灯器用レンズゴムパッキンにおいて、
押出成形されたソリッドゴム製の環状ゴムパッキンと，該環状ゴムパッキンの外側の周縁に、環状ゴムパッキンと同時に押出成形により一体化されたスポンジゴム製の鍔状ゴムパッキンと，からなる環状ゴムパッキンを足部とする断面略Ｌ字状又は断面略Ｔ字状のゴムパッキンであって、前記外側レンズ及び内側レンズの各周縁が嵌め込まれる反射鏡の周縁をその外側から覆うように環状ゴムパッキンを位置させ、かつ外側レンズの周縁とフレーム枠との隙間に鍔状ゴムパッキンを位置させてなることを特徴とする信号灯器用レンズゴムパッキン。
【発明の詳細な説明】
【０００１】
【発明の属する技術分野】
本発明は、信号灯器用レンズゴムパッキンに関する。詳細には、車輌灯器，歩行者灯器などの信号灯器用のレンズの周縁を固定してフレーム枠に支持させるゴムパッキンに関する。
【０００２】
【従来の技術】
図５及び図６に示すように、車輌用の信号灯器１には、信号表示用の色（青，黄，赤）が施された略球面状の外側レンズ２，３，４（図６は青色の外側レンズ２を示している）と、その外側レンズ２の内側に設けられた略平面状の内側レンズ５と、内側レンズ５の更に内側に設けられ光源（図示しない）からの光を反射して内側レンズ５に照射する略球面状で外側レンズ２の球面の突出する方向と逆方向に球面が突出する反射鏡６とが設けられている。そして、外側レンズ２，内側レンズ５，反射鏡６のそれぞれの周縁２ａ，５ａ，６ａはゴムパッキン７，８を介してアルミダイカスト製のフレーム枠９に固定されている。このとき、反射鏡６はフレーム枠９との間に接続された支持片１０によってフレーム枠９に押し付けられるようにして固定されている。
【０００３】
ゴムパッキン７は、図７にその一部分を示すように断面略コ字形で、ソリッドゴム製の環状ゴムパッキンであり、外側レンズ２の周縁２ａと内側レンズ５の周縁５ａとを略コ字形の開口部７ａで挾み込むようにして固定している。そして、ゴムパッキン７は反射鏡６の周縁６ａに嵌め込まれている。
また、ゴムパッキン８もゴムパッキン７と同様、断面略コ字形で、ソリッドゴム製の環状ゴムパッキンであり、ゴムパッキン７を一回り大きくしたものである。すなわち、ゴムパッキン７と比べて環状の径及び断面形状は大きい。このゴムパッキン８は、ゴムパッキン７が嵌め込まれた反射鏡６の周縁６ａを略コ字形の開口部８ａで挾み込むようにして、結果としてフレーム枠９の内側９ａに外側レンズ２，内側レンズ５，及び反射鏡６を固定している。
【０００４】
【発明が解決しようとする課題】
しかしながら、フレーム枠９の内側９ａに接するゴムパッキン８はソリッドゴム製であるのでシール対象側への追従が弱くシール機能が不十分である。
また、ゴムパッキン７及びゴムパッキン８は環状であり、押出成形品としたのではコーナー部への追従性が悪くなるため型成形品にする必要があった。なお、ゴムパッキン７及びゴムパッキン８をソリッドゴム製ではなくスポンジゴム製とすればコーナー部への追従性は良いので押出成形品とすることができるが、外側レンズ２〜４，内側レンズ５，反射鏡６の各周縁部を保持する力が不足するという問題がある。
【０００５】
このため、サイズの異なるゴムパッキン７用の金型（図示しない）とゴムパッキン８用の金型（図示しない）の２個の金型が必要となるのでコスト的に高価であるという問題があった。その上、外側レンズ２〜４の径は２５０ｍｍと３００ｍｍのものとがあり、これに適合するゴムパッキンを型成形するにはそれぞれ別々の金型を必要としていた。更に、３〜４年毎のモデルチェンジによってレンズ径も変化する場合があり、金型の転用は不可能であった。あるいは図８に示すような外観が略四角形の外側レンズ１２，１３をした歩行者用の信号灯器１１に車輌用の信号灯器１に使用されるゴムパッキン７，８を使用することは不可能であった。
【０００６】
そこで本発明の目的は、特に型成形する必要がなくモデルチェンジなどによりレンズ径が変わっても容易に転用することができる信号灯器用レンズゴムパッキンを提供することにある。
【０００７】
また他の目的は、ゴムパッキンのシール性を向上させるとともにレンズ及び反射鏡に対する装着性を良くして取付工数の低減を図ることにある。
【０００８】
【課題を解決するための手段】
上記の目的を達成するために、本発明の信号灯器用レンズゴムパッキンは、信号表示用の色が施された外側レンズ，外側レンズの内側に設けられた内側レンズ，及び内側レンズの更に内側に設けられ光源からの光を反射して内側レンズに照射する反射鏡の、それぞれの周縁を固定してフレーム枠に支持させる環状の信号灯器用レンズゴムパッキンにおいて、押出成形されたソリッドゴム製の環状ゴムパッキンと，環状ゴムパッキンの外側の周縁に、環状ゴムパッキンと同時に押出成形により一体化されたスポンジゴム製の鍔状ゴムパッキンと，からなる環状ゴムパッキンを足部とする断面略Ｌ字状又は断面略Ｔ字状のゴムパッキンであって、外側レンズ及び内側レンズの各周縁が嵌め込まれる反射鏡の周縁をその外側から覆うように環状ゴムパッキンを位置させ、かつ外側レンズの周縁とフレーム枠との隙間に鍔状ゴムパッキンを位置させてなるものである（請求項１）。
【０００９】
請求項１に記載の発明によれば、ゴムパッキンを構成する環状ゴムパッキンと鍔状ゴムパッキンとは同時に押出成形されたものであり、しかも環状ゴムパッキンの外側の周縁に、環状ゴムパッキンを足部とする断面略Ｌ字状又は断面略Ｔ字状になるように、すなわち環状ゴムパッキンに対して直角方向に鍔状ゴムパッキンが一体化されているので、従来例で示したような押出成形されたソリッドゴム製のゴムパッキンだけを同じように環状にしたものと比較してコーナー部に対する追従性が良く、型成形した場合に近い追従性が得られる。
したがって、信号灯器のレンズ径に対応したコーナー部を形成するために金型を使用した型成形を行う必要がなく、環状，鍔状の周長を決定する押出成形する際の長さを信号灯器の外側レンズ径に対応させるだけでよいので、外側レンズが略球面状の車輌用の信号灯器だけでなく、外側レンズが略四角形の歩行者用の信号灯器にも共通断面のゴムパッキンを適用させることができる。また、レンズ径がモデルチェンジして変わっても同様に押出成形におけるゴムパッキンの長さを調整し周長を変化させるだけで容易に転用させることができる。
なお、請求項１に記載の環状，鍔状とは、断面が略円形のものだけでなく、閉鎖系であれば略四角形のものも含まれることを意味する。
【００１０】
また、別々に成形したゴムパッキンを２個使用する従来例と異なり、一体化された環状ゴムパッキンと鍔状ゴムパッキンとを同時に成形するものであるので、作業効率がよく、コストの低廉を図れる。
【００１１】
更に、環状ゴムパッキンは外側レンズ及び内側レンズの各周縁が嵌め込まれる反射鏡の周縁をその外側から覆うように位置させられ、かつ鍔状ゴムパッキンは外側レンズの周縁とフレーム枠との隙間に位置させられている。すなわち、反射鏡に対する外側レンズ及び内側レンズの固定は、保持力の強いソリッドゴム製の環状ゴムパッキンで行うので安定化が図れ、また外側レンズとフレーム枠との隙間はシール機能に優れるスポンジゴム製の鍔状ゴムパッキンで行うので雨水の浸入などを防止することができる。
また、スポンジゴム製の鍔状ゴムパッキンが外側レンズに接するので、従来例で示したようなソリッドゴム製のゴムパッキンが接する場合と比較してフィット性に優れる。しかも、ゴムパッキンは外側レンズ，内側レンズ及び反射鏡を外側から覆うようにして取り付けられるので装着性が良く、取付工数の低減化を図られる。
【００１２】
【発明の実施の形態】
本発明の実施の形態について図面を参照して説明する。なお、従来例と同一の部分には同一符号を付してその説明を省略する。
図１は本発明の実施の形態に係る信号灯器用レンズゴムパッキン２１を、車輌用の信号灯器１に適用した場合を示す、図５のＡ−Ａ線拡大断面図である。また、図２は、その信号灯器用レンズゴムパッキン２１の外観を示す斜視図であり、図３は、図２のＢ−Ｂ線拡大断面図である。
【００１３】
この信号灯器用レンズゴムパッキン２１は、信号表示用の色が施された外側レンズ２，外側レンズ２の内側に設けられた内側レンズ５，及び内側レンズ５の更に内側に設けられ光源（図示しない）からの光を反射して内側レンズ５に照射する反射鏡６の、各周縁２ａ，５ａ，６ａを固定してフレーム枠９に支持させるゴムパッキンであり、ソリッドゴム製の環状ゴムパッキン２２とスポンジゴム製の鍔状ゴムパッキン２３とが一体成形された二重構造からなるものである。
ゴムパッキン２１の材質は特に限定されるものではないが、耐候性に優れる点で環状ゴムパッキン２２をＥＰＤＭソリッドゴム製とし、かつ鍔状ゴムパッキン２３をＥＰＤＭスポンジゴム製とすることが好ましい。
【００１４】
環状ゴムパッキン２２と鍔状ゴムパッキン２３とは同時に押出成形されたものであり、環状ゴムパッキン２２の外側の周縁２２ａに、鍔状ゴムパッキン２３が直角に一体成形されている。すなわち、その断面は環状ゴムパッキン２２を足部とする断面略Ｌ字状の形状をしている。
このようにソリッドゴム製の環状ゴムパッキン２２とスポンジゴム製の鍔状ゴムパッキン２３とが一体成形されているので、略コの字状に押出成形されたソリッドゴム製のゴムパッキンだけを同じように環状にしたものと比較してコーナー部に対する追従性が良く、型成形した場合に近い追従性が得られる。
なお、ゴムパッキン２１の周長は外側レンズ２及び内側レンズ５の径に対応させて押出成形したものであり、図２に示すように、押出成形後に両端部２２ｂ，２３ｂが接着剤により結合され環状，鍔状になっている。また、接着剤による結合にかえて、両端部２２ｂ，２３ｂを金型に入れて生ゴムを注入し加硫成形によって結合するようにしてもよい。
【００１５】
そして、図１に示すように、環状ゴムパッキン２２は外側レンズ２及び内側レンズ５の各周縁２ａ，５ａが嵌め込まれる反射鏡６の周縁６ａをその外側から覆うように位置させられ、かつ鍔状ゴムパッキン２３は外側レンズ２の周縁２ａとフレーム枠９との隙間に位置させられている。
つまり、反射鏡６に対する外側レンズ２及び内側レンズ５の固定は、保持力の強いソリッドゴム製の環状ゴムパッキン２２で行うので安定化が図れる。また、外側レンズ２とフレーム枠９との隙間はシール機能に優れるスポンジゴム製の鍔状ゴムパッキン２３で行うので雨水の浸入などを防止することができる。
また、スポンジゴム製の鍔状ゴムパッキン２３が外側レンズ２に接するのでソリッドゴム製のゴムパッキンが接する場合と比較してフィット性に優れる。しかも、ゴムパッキン２１は外側レンズ２，内側レンズ５及び反射鏡６を外側から覆うようにして取り付けられるので装着性が良く、取付工数の低減化を図られる。
【００１６】
なお本発明の実施の形態によれば、車輌用の信号灯器１に適用した例を示したが、押出成形におけるゴムパッキン２１の長さを調整し周長を変化させることによって、例えば図８に示すような外側レンズ１２，１３が略四角形の歩行者用の信号灯器１１にも適用させることができる。また、レンズ径がモデルチェンジして変わっても同様に押出成形におけるゴムパッキン２１の長さを調整し周長を変化させるだけで容易に転用させることができる。
また本発明の実施の形態によれば、環状ゴムパッキン２２と鍔状ゴムパッキン２３との接続を断面略Ｌ字状としたが、図４に示すように、断面略Ｔ字状になっても同様の効果が得られる。
【００１７】
【発明の効果】
以上のとおり請求項１に記載の発明によれば、信号灯器のレンズ径に対応したコーナー部を形成するために金型を使用した型成形を行う必要がなく、環状，鍔状の周長を決定する押出成形する際の長さを信号灯器の外側レンズ径に対応させるだけでよいので、外側レンズが略球面状の車輌用の信号灯器だけでなく、外側レンズが略四角形の歩行者用の信号灯器にも共通断面のゴムパッキンを適用させることができる。また、レンズ径がモデルチェンジして変わっても同様に押出成形におけるゴムパッキンの長さを調整し周長を変化させるだけで容易に転用させることができる。したがって、複数の金型を使用することがないのでコスト的に優利であり、しかも一体化された環状ゴムパッキンと鍔状ゴムパッキンとを同時に押出成形するものであるので、作業効率がよい。
【００１８】
更に、反射鏡に対する外側レンズ及び内側レンズの固定は、保持力の強いソリッドゴム製の環状ゴムパッキンで行われるので安定化が図れ、また外側レンズとフレーム枠との隙間はシール機能に優れるスポンジゴム製の鍔状ゴムパッキンで行われるので雨水の浸入などを防止することができる。
また、スポンジゴム製の鍔状ゴムパッキンが外側レンズに接するので、従来例で示したようなソリッドゴム製のゴムパッキンが接する場合と比較してフィット性に優れる。しかも、ゴムパッキンは外側レンズ，内側レンズ及び反射鏡を外側から覆うようにして取り付けられるので装着性が良く、取付工数の低減化を図られる。
【００１９】
また環状ゴムパッキンをＥＰＤＭソリッドゴム製とし、かつ鍔状ゴムパッキンをＥＰＤＭスポンジゴム製とすれば、耐候性にも優れる。
【図面の簡単な説明】
【図１】本発明の実施の形態に係る、図５のＡ−Ａ線拡大断面図である。
【図２】図１の信号灯器用レンズゴムパッキン２１を示す斜視図である。
【図３】図２のＢ−Ｂ線拡大断面図である。
【図４】本発明のもう一つの実施の形態に係る、図２のＢ−Ｂ線拡大断面図である。
【図５】車輌用の信号灯器１の外観を示す正面図である。
【図６】従来例に係る、図５のＡ−Ａ線拡大断面図である。
【図７】図６のゴムパッキン７を部分的に示す斜視図である。
【図８】歩行者用の信号灯器１１の外観を示す正面図である。
【符号の説明】
１      車輌用の信号灯器
２，３，４      外側レンズ
２ａ，３ａ，４ａ      外側レンズの周縁
５      内側レンズ
５ａ    内側レンズの周縁
６      反射鏡
９      フレーム枠
９ａ    フレーム枠の内側
１０      支持片
１１      歩行者用の信号灯器
２１      信号灯器用レンズゴムパッキン
２２      環状ゴムパッキン
２２ａ    環状ゴムパッキンの外側の周縁
２３      鍔状ゴムパッキン
【図１】
0003727703.tif 000002
【図２】
0003727703.tif 000003
【図３】
0003727703.tif 000004
【図４】
0003727703.tif 000005
【図５】
0003727703.tif 000006
【図６】
0003727703.tif 000007
【図７】
0003727703.tif 000008
【図８】
0003727703.tif 000009